(57)【要約】【課題】小型化、薄型化を図ることができ、ＬＤやＰＤの光軸と対物レンズの光軸とを一致させることができ、しかも、平行光の光軸に垂直な平面内の光強度分布を均一化することができる光ピックアップ装置及び光情報記録／再生装置を提供する。【解決手段】本発明の光ピックアップ装置は、半導体レーザ１１と、半導体レーザ１１からの出射光Ｌを平行光とするコリメートレンズ１３と、この平行光を所定の径に絞り込み光ディスク２３の記録面に集光させる対物レンズ１９と、光ディスク２３の記録面からの反射戻り光を検知するホトダイオードとを備え、コリメートレンズ１３と対物レンズ１９との間に、コリメートレンズ１３からの平行光の光軸を平行移動させる頂角（θ１）の一対のプリズム１４ａ、１４ｂからなる整形プリズム１４を配置したことを特徴とする。【選択図】  図２
2004362713.tif 000002
【特許請求の範囲】
【請求項１】
発光素子と、該発光素子からの出射光を平行光としかつ所定の径に絞り込み光情報記録媒体に集光させる光学系と、前記光情報記録媒体からの反射戻り光を検知する受光素子とを備えた光ピックアップ装置において、
前記光学系に、前記平行光の光軸を平行移動させる一対のプリズムを配置してなることを特徴とする光ピックアップ装置。
【請求項２】
前記一対のプリズムは、少なくとも一方のプリズムが他方のプリズムに対して進退自在とされていることを特徴とする請求項１記載の光ピックアップ装置。
【請求項３】
前記一対のプリズムは、前記平行光の光軸に垂直な平面内の光強度分布を変化させることを特徴とする請求項１または２記載の光ピックアップ装置。
【請求項４】
前記一対のプリズムの間に、これらのプリズムより屈折率の小さな媒質を配置してなることを特徴とする請求項１、２または３記載の光ピックアップ装置。
【請求項５】
前記光学系は、前記平行光を前記光情報記録媒体に集光させる対物レンズをその径方向に移動可能な分離光学系であることを特徴とする請求項１ないし４のいずれか１項記載の光ピックアップ装置。
【請求項６】
請求項１ないし５のいずれか１項記載の光ピックアップ装置を備えてなることを特徴とする光情報記録／再生装置。
【発明の詳細な説明】
【０００１】
【発明の属する技術分野】
本発明は、光ピックアップ装置及びそれを備えた光情報記録／再生装置に関し、特に詳しくは、装置のさらなる小型化、薄型化が可能で、半導体レーザ（ＬＤ）やホトダイオード（ＰＤ）と対物レンズとの間の光軸のずれが無く、しかも、光学系内を進行する平行光の光軸に垂直な平面内の光強度分布を均一化することが可能な光ピックアップ装置、及び、この光ピックアップ装置を備えることにより、装置のさらなる小型化、薄型化が可能で、光情報記録媒体に対して高密度の記録・再生が可能な光情報記録／再生装置に関するものである。
【０００２】
【従来の技術】
近年、情報機器等の高機能化、多機能化の進展に伴い、コンパクトディスク（ＣＤ）、ミニディスク（ＭＤ）等の光ディスクを用いた光ディスク記録／再生装置についても小型化、薄型化が進み、光ディスクの記録／再生を行う光ピックアップ装置についても、より小型化、薄型化なものが求められている。
このような光ピックアップ装置としては、例えば、平行光の光軸を平行平板で平行にシフトすることにより小型化した装置（１）（特許文献１参照）、平行光の光軸を、光軸を下げる作用とビームスプリッタの作用を併せ持つ平行プリズムを用いて平行にシフトすることにより小型化した装置（２）（特許文献２参照）、平行光の光軸を、平行平板を有する光軸調整ブロックを用いて平行にシフトさせ、この平行平板を傾けることで前記光軸の調整を行うことにより小型化した装置（３）（特許文献３参照）等が提案されている。
【０００３】
【特許文献１】
特開平４−１３２４３号公報
【特許文献２】
特開平７−８４１０４号公報
【特許文献３】
特開平４−２０９３３８号公報
【０００４】
【発明が解決しようとする課題】
ところで、光ディスク記録／再生装置の小型化、薄型化が進んで、光ディスクから記録／再生装置の最下面までの高さが、半導体レーザ（ＬＤ）の大きさに収まらない程度にまで薄くなると、従来の光ピックアップ装置では対応できなくなる。そこで、半導体レーザ（ＬＤ）、ホトダイオード（ＰＤ）及び光学系を１つのブロック（固定部）とし、半導体レーザからの出射光を光ディスクの記録面に集光させる対物レンズを他のブロック（可動部）とし、この可動部を対物レンズの径方向に移動させる、いわゆる分離型光ピックアップ装置とする必要があるが、この場合、固定部上の半導体レーザ（ＬＤ）、ホトダイオード（ＰＤ）及び光学系の光軸と、可動部上の対物レンズの光軸とがずれてしまうという問題点があった。
【０００５】
そこで、従来の装置（１）を適用して光軸のずれを補正する方法が考えられるが、この場合、図６に示す様に、光軸Ａｘのシフト量Δｘを大きくしようとすると、平行平板１の厚みｔを厚くする必要があり、小型化、薄型化が難しいという問題点がある。
また、従来の装置（２）を適用した場合、平行光の光束径より小さいシフト量で光軸をシフトさせることができないという問題点がある。
また、従来の装置（３）を適用した場合、光軸の調整を行う際に平行平板を傾斜させる必要があるが、傾斜させるための機構が大きくなってしまい、小型化、薄型化が難しい。
【０００６】
本発明は、上記の事情に鑑みてなされたものであって、装置のさらなる小型化、薄型化を図ることができ、半導体レーザ（ＬＤ）やホトダイオード（ＰＤ）の光軸と対物レンズの光軸とを一致させることができ、しかも、光学系内を進行する平行光の光軸に垂直な平面内の光強度分布を均一化することができる光ピックアップ装置、及び、この光ピックアップ装置を備えることで、装置のさらなる小型化、薄型化を図ることができ、光情報記録媒体に対して高密度の記録・再生を行うことができる光情報記録／再生装置を提供することを目的とする。
【０００７】
【課題を解決するための手段】
上記課題を解決するために、本発明は次のような光ピックアップ装置及びそれを備えた光情報記録／再生装置を提供した。
すなわち、請求項１記載の光ピックアップ装置は、発光素子と、該発光素子からの出射光を平行光としかつ所定の径に絞り込み光情報記録媒体に集光させる光学系と、前記光情報記録媒体からの反射戻り光を検知する受光素子とを備えた光ピックアップ装置において、前記光学系に、前記平行光の光軸を平行移動させる一対のプリズムを配置してなることを特徴とする。
【０００８】
この光ピックアップ装置では、発光素子からの出射光を平行光としかつ所定の径に絞り込み光情報記録媒体に集光させる光学系に、前記平行光の光軸を平行移動させる一対のプリズムを配置したことにより、従来の平行平板や１つのプリズムを配置した場合と比べて、平行移動の距離を大きくとることが可能になる。また、一対のプリズムは、簡単な構成で、容積も小さいものであるから、装置自体の小型化、薄型化を図ることができる。
【０００９】
請求項２記載の光ピックアップ装置は、請求項１記載の光ピックアップ装置において、前記一対のプリズムは、少なくとも一方のプリズムが他方のプリズムに対して進退自在とされていることを特徴とする。
【００１０】
この光ピックアップ装置では、前記一対のプリズムのうち、少なくとも一方のプリズムを他方のプリズムに対して進退自在としたことにより、これらのプリズムの間隔を適宜調製することで、光軸の平行移動の距離を調整することが可能である。
【００１１】
請求項３記載の光ピックアップ装置は、請求項１または２記載の光ピックアップ装置において、前記一対のプリズムは、前記平行光の光軸に垂直な平面内の光強度分布を変化させることを特徴とする。
【００１２】
この光ピックアップ装置では、前記一対のプリズムが、前記平行光の光軸に垂直な平面内の光強度分布を変化させることにより、光情報記録媒体の記録面における光のスポットの光強度分布が最適化され、記録／再生の信頼性が向上する。
【００１３】
請求項４記載の光ピックアップ装置は、請求項１、２または３記載の光ピックアップ装置において、前記一対のプリズムの間に、これらのプリズムより屈折率の小さな媒質を配置してなることを特徴とする。
【００１４】
この光ピックアップ装置では、前記一対のプリズムの間に、これらのプリズムより屈折率の小さな媒質を配置したことにより、プリズムと媒質との界面における屈折角を大きくとることが可能になり、その結果、光軸の平行移動の距離を大きくとることが可能になる。
【００１５】
請求項５記載の光ピックアップ装置は、請求項１ないし４のいずれか１項記載の光ピックアップ装置において、前記光学系は、前記平行光を前記光情報記録媒体に集光させる対物レンズをその径方向に移動可能な分離光学系であることを特徴とする。
【００１６】
この光ピックアップ装置では、前記光学系を、前記平行光を前記光情報記録媒体に集光させる対物レンズをその径方向に移動可能な分離光学系としたことにより、光情報記録媒体から記録／再生装置の最下面までの高さが発光素子の大きさに収まらない程度にまで薄くなった場合においても、発光素子と対物レンズの光軸とが容易に一致され、これらの光軸にずれが生じる虞が無い。
【００１７】
請求項６記載の光情報記録／再生装置は、請求項１ないし５のいずれか１項記載の光ピックアップ装置を備えてなることを特徴とする。
この光情報記録／再生装置では、請求項１ないし５のいずれか１項記載の光ピックアップ装置を備えたことにより、平行光の光軸の平行移動の距離を大きくとることが可能になる。
また、一対のプリズムは、簡単な構成で、容積も小さいものであるから、光情報記録媒体に対して高密度の記録・再生を行うことが可能になり、光情報記録／再生装置全体の小型化、薄型化が可能になる。
【００１８】
【発明の実施の形態】
本発明の光ピックアップ装置及びそれを備えた光情報記録／再生装置の各実施形態について、図面に基づき説明する。
なお、係る実施の形態は、本発明の一態様を示すものであり、本発明はこれらの実施の形態に限定されるものではなく、本発明の技術的思想の範囲内で任意に変更可能である。
【００１９】
「第１の実施形態」
図１は本発明の第１の実施形態の分離型光ピックアップ装置を示す平面図、図２は同側面図であり、図において、符号１１は、例えば、発光波長が４０８（±８）ｎｍの光Ｌを出射する半導体レーザ（ＬＤ：発光素子）、１２は１／２波長（λ／２）板１２ａの表面に回折格子１２ｂを形成してなる回折光学素子、１３はコリメートレンズ、１４はコリメートレンズ１３からの平行光の光軸Ａｘを平行移動させる整形プリズム、１５は偏光ビームスプリッタ（ＰＢＳ）、１６はホログラム素子１６ａと凹レンズ１６ｂを組み合わせた回折光学素子、１７は１／４波長（λ／４）板、１８はミラー、１９は、例えば、レンズの開口数（ＮＡ：Ｎｕｍｅｒｉｃａｌ  Ａｐｅｒｔｕｒｅ）が０．８５の対物レンズ、２０はセンサー用レンズ、２１はミラー、２２はホトダイオード（ＰＤ：受光素子）である。
【００２０】
これら回折光学素子１２〜対物レンズ１９により、半導体レーザ（ＬＤ）１１からの出射光を平行光としかつ所定の径に絞り込み光ディスク（光情報記録媒体）２３の記録面に集光させる（第１の）光学系とされ、１／４波長（λ／４）板１７、回折光学素子１６、偏光ビームスプリッタ（ＰＢＳ）１５、センサー用レンズ２０及びミラー２１により、光ディスク２３の記録面からの反射戻り光をホトダイオード（ＰＤ）２２に集光させる第２の光学系とされている。
【００２１】
これら半導体レーザ（ＬＤ）１１〜１／４波長（λ／４）板１７、及びセンサー用レンズ２０〜ホトダイオード（ＬＤ）２２は、１つのブロック（固定部）３１上に配置され、ミラー１８及び対物レンズ１９は、このブロック３１に隣接するブロック（可動部）３２上に配置され、このブロック３２は対物レンズ１９の径方向（図１中、矢印Ａの方向）に移動可能とされている。
【００２２】
整形プリズム１４は、一対のプリズム１４ａ、１４ｂにより構成され、これらの屈折率は、例えば、１．５程度であり、コリメートレンズ１３からの平行光の光軸Ａｘをブロック３２側に平行移動させるとともに、その光強度分布を平行移動する方向へ変化させる機能を有する。
【００２３】
これらのプリズム１４ａ、１４ｂは、図３に示すように、頂角がθ１の一対の３角プリズムであり、このプリズム１４ａ（または１４ｂ）を平行光の光軸Ａｘに垂直な軸Ｂの周りに所定の角度（この場合、１２０°）回転させた場合に他方のプリズム１４ｂ（または１４ａ）と一致するように、軸Ｂを挟んで配置されている。
このように、プリズム１４ａ、１４ｂは、これらのプリズム１４ａ、１４ｂより屈折率の小さな媒質、例えば、空気（屈折率：１．０）を挟んで配置されている。
【００２４】
ここでは、プリズム１４ａをプリズム１４ｂに対して平行光の光軸Ａｘに沿って（図中矢印Ｃ方向）移動自在（進退自在）としているが、プリズム１４ｂをプリズム１４ａに対して平行光の光軸Ａｘに沿って移動自在（進退自在）としてもよく、あるいは、これらプリズム１４ａ、１４ｂを互いに移動自在（進退自在）としてもよい。
これにより、これらのプリズム１４ａ、１４ｂの間隔を調製することが容易になり、光軸Ａｘの平行移動の距離Δｘを調整することが可能である。
【００２５】
ここで、整形プリズム１４の機能について説明する。
コリメートレンズ１３からの平行光Ｌは、光強度が光軸Ａｘ付近で最も強く、光軸Ａｘから遠くなるに従って弱くなる、半値幅が比較的広いガウス分布を有しているが、プリズム１４ａ、１４ｂを順次透過することで、その光軸Ａｘがブロック３２側に距離Δｘだけ平行移動した光軸Ａｘ’となるとともに、その光強度分布が平行移動する方向へ圧縮される。
【００２６】
ここでは、平行光の光軸Ａｘがブロック３２側にΔｘだけ平行移動するので、この整形プリズム１４を透過した平行光の光強度分布は、平行移動した光軸Ａｘ’付近の光強度が最も強く、光軸Ａｘから遠くなるに従って急峻に弱くなる、半値幅の狭いガウス分布となる。
この平行光Ｌが整形プリズム１４透過後においても平行光となるためには、プリズム１４ａ、１４ｂの頂角（θ１）と、プリズム１４ａ、１４ｂ相互の角度を選択する必要がある。さらに、光強度分布を圧縮・伸張させるためには、所望の圧縮・伸張に見合った頂角（θ１）を有するプリズム１４ａ、１４ｂを選択する必要がある。
【００２７】
プリズム１４ａ、１４ｂの頂角（θ１）とビーム整形倍率との間には一対一対応の関係があるので、予め、屈折率毎のプリズム１４ａ、１４ｂの頂角（θ１）とビーム整形倍率との関係を求めておけば、プリズム１４ａ、１４ｂの材質と頂角（θ１）を設定することで、これらのプリズム１４ａ、１４ｂを用いた場合のビーム整形倍率が一義的に決定される。
図４は、屈折率が１．５のプリズム１４ａ、１４ｂの頂角（θ１）とビーム整形倍率との関係を示す図であり、材質（屈折率）と頂角（θ１）を設定することで、ビーム整形倍率が一義的に決定されることが分かる。
【００２８】
例えば、プリズム１４ａ、１４ｂの頂角（θ１）を２９°とした場合、ビーム整形倍率は、図４により１．７と求められる。そこで、これらのプリズム１４ａ、１４ｂを、プリズム１４ａの入射側の面が光軸Ａｘに垂直になるように、また、プリズム１４ｂの出射側の面が光軸Ａｘに対して所定角度（θ２）、例えば４８°傾斜するように、光軸Ａｘに沿って配置すれば、ビーム整形比が１／１．７の整形プリズム１４が得られる。
【００２９】
このように、プリズム１４ａ、１４ｂは、平行光Ｌの光軸Ａｘに垂直な平面内の光強度分布を変化させるので、光ディスク２３の記録面における光のスポットの光強度分布を最適化することが可能である。したがって、光ディスク２３の記録面に記録／再生する際の信頼性が向上する。
また、プリズム１４ａ、１４ｂの頂角（θ１）を変化させることで、出力光の光軸の変化量を大きくとることが可能になり、光学系のさらなる小型化、薄型化が可能となる。
【００３０】
この分離型光ピックアップ装置を光ディスク記録／再生装置に搭載することで、コリメートレンズ１３からの平行光Ｌの光軸Ａｘの平行移動の距離Δｘを大きくとることが可能であるから、光ディスク２３から記録／再生装置の最下面までの高さを極めて小さくすることが可能になる。したがって、この高さが半導体レーザ（ＬＤ）１１の大きさに収まらない程度にまで薄型化する必要が生じた場合においても、半導体レーザ（ＬＤ）１１と対物レンズ１９の光軸を一致させることが容易になり、これらの光軸にずれが生じる虞が無い。
【００３１】
また、整形プリズム１４は、プリズム１４ａ、１４ｂの頂角（θ１）を所望のビーム整形倍率に合わせて設定するだけで、所望のビーム整形比が得られ、しかも、簡単な構成で、容積も小さいものであるから、光ディスク２３に対して高密度の記録・再生を行うことが可能になり、光ディスク記録／再生装置全体の小型化、薄型化が可能になる。
【００３２】
以上説明したように、本実施形態の分離型光ピックアップ装置によれば、コリメートレンズ１３と対物レンズ１９との間かつブロック３１上に頂角（θ１）の一対のプリズム１４ａ、１４ｂからなる整形プリズム１４を配置し、対物レンズ１９をブロック３２によりその径方向に移動可能としたので、従来と比べて、平行移動の距離Δｘを大きくとることができる。また、プリズム１４ａ、１４ｂは、簡単な構成で、容積も小さいものであるから、装置自体の小型化、薄型化を図ることができる。
【００３３】
また、プリズム１４ａをプリズム１４ｂに対して平行光の光軸Ａｘに沿って移動自在としたので、これらプリズム１４ａ、１４ｂの間隔を適宜調製することで、光軸Ａｘの平行移動の距離Δｘを調整することができる。
また、整形プリズム１４は、平行光Ｌの光軸Ａｘに垂直な平面内の光強度分布を変化させることができるので、光ディスク２３の記録面における光のスポットの光強度分布を最適化することができ、光ディスク２３への記録／再生の信頼性を向上させることができる。
【００３４】
また、プリズム１４ａ、１４ｂを、これらのプリズム１４ａ、１４ｂより屈折率の小さな媒質を挟んで配置したので、この媒質が無い場合と比べて、コリメートレンズ１３からの平行光Ｌの光軸Ａｘの平行移動の距離Δｘを大きくとることができる。
【００３５】
また、本実施形態の光ディスク記録／再生装置によれば、本実施形態の光ピックアップ装置を搭載したので、平行光Ｌの光軸Ａｘの平行移動の距離Δｘを大きくとることができる。
また、整形プリズム１４は、簡単な構成で、容積も小さいものであるから、光ディスク２３の記録面に対して高密度の記録・再生を行うことができ、光ディスク記録／再生装置全体のさらなる小型化、薄型化を図ることができる。
【００３６】
「第２の実施形態」
図５は本発明の第２の実施形態の分離型光ピックアップ装置の整形プリズムを示す側面図であり、この光ピックアップ装置が、第１の実施形態の光ピックアップ装置と異なる点は、第１の実施形態の光ピックアップ装置では、一方のプリズム１４ａを軸Ｂの周りに所定の角度回転させた場合に他方のプリズム１４ｂと一致するように一対のプリズム１４ａ、１４ｂを配置し、整形プリズム１４としたのに対し、本実施形態の光ピックアップ装置では、一対のプリズム４１ａ、４１ｂの形状を、貼り合わせた場合に平行平板となるように設定し、これらのプリズム４１ａ、４１ｂを、プリズム４１ａ、４１ｂより屈折率の小さな媒質である空気（屈折率：１．０）を介して互いに十分離した状態で、光軸Ａｘに沿って配置し、ビーム整形をしないようにした点である。
【００３７】
この分離型光ピックアップ装置においても、第１の実施形態の光ピックアップ装置と同様の効果を奏することができる。
しかも、プリズム４１ａ、４１ｂの形状を、貼り合わせた場合に平行平板となるように設定し、しかも、これらのプリズム４１ａ、４１ｂの間に、より屈折率の小さな媒質である空気（屈折率：１．０）を介在することとしたので、スネル（Ｓｎｅｌｌ）の法則に従いプリズム４１ａ、４１ｂ間での光束角度は、プリズム４１ａ、４１ｂ内の光束角度より大きくなる。これにより、プリズム４１ａ、４１ｂ間の媒質がプリズム４１ａ、４１ｂと同じ屈折率である場合よりも、大きな光軸Ａｘの平行移動距離を確保することができる。
したがって、平行平板を傾斜させた場合と比べて、装置全体のさらなる小型化、薄型化を図ることができる。
【００３８】
【発明の効果】
以上説明した様に、本発明の光ピックアップ装置によれば、発光素子からの出射光を平行光としかつ所定の径に絞り込み光情報記録媒体に集光させる光学系に、前記平行光の光軸を平行移動させる一対のプリズムを配置したので、従来の平行平板や１つのプリズムを配置した場合と比べて、平行移動の距離を大きくとることができる。また、これらのプリズムは、簡単な構成で、容積も小さいものであるから、装置自体の小型化、薄型化を図ることができる。
【００３９】
また、前記一対のプリズムを、少なくとも一方のプリズムを他方のプリズムに対して進退自在としたので、これらのプリズムの間隔を適宜調製することで、光軸の平行移動の距離を調整することができる。
【００４０】
また、前記一対のプリズムが、前記平行光の光軸に垂直な平面内の光強度分布を変化させることとしたので、光情報記録媒体の記録面における光のスポットの光強度分布を最適化することができ、記録／再生の信頼性を向上させることができる
【００４１】
また、前記一対のプリズムの間に、これらのプリズムより屈折率の小さな媒質を配置したので、プリズムと媒質との界面における屈折角を大きくとることができ、その結果、光軸の平行移動の距離をさらに大きくとることができる。
【００４２】
また、前記光学系を、前記平行光を前記光情報記録媒体に集光させる対物レンズをその径方向に移動可能な分離光学系としたので、光情報記録媒体から記録／再生装置の最下面までの高さが発光素子の大きさに収まらない程度にまで薄くなった場合においても、発光素子と対物レンズの光軸とを容易に一致させることができ、これらの光軸にずれが生じる虞も無い。
【００４３】
本発明の光情報記録／再生装置によれば、本発明の光ピックアップ装置を備えたので、平行光の光軸の平行移動の距離を大きくとることができる。
また、一対のプリズムは、簡単な構成で、容積も小さいものであるから、光情報記録媒体に対して高密度の記録・再生を行うことができ、光情報記録／再生装置全体の小型化、薄型化を図ることができる。
【００４４】
以上により、装置のさらなる小型化、薄型化を図ることができ、半導体レーザ（ＬＤ）やホトダイオード（ＰＤ）の光軸と対物レンズの光軸とを一致させることができ、しかも、光学系内を進行する平行光の光軸に垂直な平面内の光強度分布を均一化することができる光ピックアップ装置を提供することができる。
また、この光ピックアップ装置を備えることで、装置のさらなる小型化、薄型化を図ることができ、光情報記録媒体に対して高密度の記録・再生を行うことができる光情報記録／再生装置を提供することができる。
【図面の簡単な説明】
【図１】本発明の第１の実施形態の光ピックアップ装置を示す平面図である。
【図２】本発明の第１の実施形態の光ピックアップ装置を示す側面図である。
【図３】本発明の第１の実施形態の光ピックアップ装置の整形プリズムを示す側面図である。
【図４】屈折率が１．５程度のプリズム１４ａ、１４ｂの頂角（θ１）とビーム整形倍率との関係を示す図である。
【図５】本発明の第２の実施形態の分離型光ピックアップ装置の整形プリズムを示す側面図である。
【図６】従来の平行平板の問題点を示す側面図である。
【符号の説明】
１１  半導体レーザ（発光素子）
１２  回折光学素子
１２ａ  １／２波長板
１２ｂ  回折格子
１３  コリメートレンズ
１４  整形プリズム
１４ａ、１４ｂ  プリズム
１５  偏光ビームスプリッタ（ＰＢＳ）
１６  回折光学素子
１６ａ  ホログラム素子
１６ｂ  凹レンズ
１７  １／４波長板
１８  ミラー
１９  対物レンズ
２０  センサー用レンズ
２１  ミラー
２２  ホトダイオード（受光素子）
２３  光ディスク（光情報記録媒体）
３１  ブロック（固定部）
３２  ブロック（可動部）
４１ａ、４１ｂ  プリズム
Ａｘ、Ａｘ’  光軸
Ｂ  軸
Δｘ  平行移動の距離
【図１】
2004362713.tif 000003
【図２】
2004362713.tif 000004
【図３】
2004362713.tif 000005
【図４】
2004362713.tif 000006
【図５】
2004362713.tif 000007
【図６】
2004362713.tif 000008